(57)【特許請求の範囲】
【請求項１】
複数の隔壁を挟み放電空間を形成するように対向配置した２枚の基板と、隔壁間に隔壁とは分離して設けられた複数の補助隔壁とを有し、補助隔壁は、基板と平行な断面での形状において、隔壁に対峙する部分に凹部を設け、凹部の角部は尖って構成されているプラズマディスプレイパネル。
【請求項２】
複数の隔壁を挟み放電空間を形成するように対向配置した２枚の基板と、隔壁間に隔壁とは分離して設けられた複数の補助隔壁とを有し、補助隔壁は、基板と平行な断面での形状において、隔壁に対峙する部分に凹部を設け、凹部の角部は丸みを持って構成されているプラズマディスプレイパネル。
【発明の詳細な説明】
【０００１】
【発明の属する技術分野】
本発明はコンピュータおよびテレビ等での画像表示に用いるプラズマディスプレイパネルに関するものである。
【０００２】
【従来の技術】
従来のＡＣ面放電型プラズマディスプレイパネル（以下、パネルという）の概要構成の断面図を図８に、図８におけるＸ−Ｘ断面図を図９に示す。
【０００３】
パネル１は、表面板２の基板２ａと背面板３の基板３ａとが複数の隔壁４を挟み放電空間５を形成するように対向配置された構成であり、放電空間５内にはヘリウム（Ｈｅ）、ネオン（Ｎｅ）およびアルゴン（Ａｒ）のうち少なくとも一種とキセノン（Ｘｅ）との混合ガスが封入されている。
【０００４】
表面板２は、例えばガラス等のような、透明かつ絶縁性の基板２ａの上に、帯状の走査電極６と維持電極７とが放電ギャップ（Ｄｙ）だけ離れて互いに対をなすように平行配列されており、その上に誘電体層８および保護膜９が形成されている。走査電極６および維持電極７は各々、透明電極６ａ、７ａの上にライン抵抗を下げるための金属電極６ｂ、７ｂを母線電極として形成した構成となっている。
【０００５】
背面板３は、例えばガラス等のような、絶縁性の基板３ａの上に、走査電極６および維持電極７と直交する方向に帯状のデータ電極１０が複数本平行配列されており、この各データ電極１０を１本ずつ隔離し、かつ放電空間５を形成するための帯状の隔壁４がデータ電極１０の間に設けられている。そして、基板３ａ上およびデータ電極１０上および隔壁４の側面にわたって蛍光体１１が形成されている。
【０００６】
パネル１の画像は、表面板２側から見るようになっており、放電空間５内での走査電極６と維持電極７との間の放電により発生する紫外線によって、蛍光体１１を励起し、この蛍光体１１からの可視光を１画素として表示発光させる構成となっている。そして、隔壁４がストライプ状のパネルの場合、走査電極６または維持電極７と、隣の画素を構成する走査電極６または維持電極７との距離、いわゆる画素間距離は、画素間の放電の干渉によって引き起こされる誤放電を防止するために、放電ギャップ（Ｄｙ）に比べ数倍広く取る必要がある。
【０００７】
ここで、パネル１に対しては高精細化への要求が高まっており、これに対応するためにはパネル１の画素間距離を従来に比べ縮小することが必要であることから、上述した理由により、誤放電防止のための放電ギャップの縮小も同時に必要となる。しかしながら、放電ギャップを縮小させての誤放電防止は、パネル輝度の低下という新たな問題を生じさせることから、放電ギャップはそのままで画素間距離のみを縮小させることにより高精細かつ高輝度を同時に実現する構成が求められている。
【０００８】
上記構成の一つとして、隣接する放電空間５の間の対応する位置に補助隔壁を設け、放電による放電空間５間での電荷の干渉を防止しながら画素間距離を短くするという構成がある。但しこの構成では、放電空間５を画素毎に完全に区切ってしまうと、パネル１の封着後に行う放電空間５内の清浄化を目的とした排気ベーキング工程において、放電空間５内の不要ガスをパネル１外へ排出させることが困難となってしまうことから、画素間誤放電を防止でき、且つ放電空間５内の排気も効率良く十分に行える、図１０に示すような構造の補助隔壁１２が提案されている。
【０００９】
図１０を用いてこの補助隔壁１２の詳細を説明する。なお、図８および図９と同一部品には同じ番号を付している。補助隔壁１２は背面板３の基板３ａ上に形成されており、蛍光体１１は隔壁４と補助隔壁１２の側面および基板３ａ上に塗布されている。
【００１０】
補助隔壁１２は、隔壁４とは分離して設けられており、隔壁４との間には隙間領域１３が形成されている。また補助隔壁１２の形状は、中央部の幅が最も狭く両側の隔壁４に近づくにつれその幅が増加するものである。
【００１１】
補助隔壁１２をこのような形状とすることにより、補助隔壁１２の強度を保ちつつ補助隔壁１２が存在することによる放電空間５の減少を最小限にとどめることができ、しかも隙間領域１３が放電空間５内の排気の際に排気孔として機能するため放電空間５内の排気を効率良く十分に行うことができるというものである。
【００１２】
したがって、隙間領域１３には、放電空間５内の排気の際に発生する排気抵抗ができる限り小さくなるように形成されることが要求される。
【００１３】
【発明が解決しようとする課題】
図１０に示す補助隔壁１２の形状では、補助隔壁１２の前記基板３ａと平行な断面での形状において、隔壁４に対峙する部分の形状が面であるため、隙間領域１３で発生する排気抵抗は大きくなり、放電空間５内の排気を効率良く十分に行うことが困難である。このような場合、放電空間５内には不要ガスが残存してしまうこととなり、パネル１の画像表示特性は著しく低下する。
【００１４】
本発明は、以上のような課題を解決するもので、隣接する放電空間の間での誤放電を防止でき、且つ放電空間内の排気も効率良く十分に行うことができるパネルを実現することを目的とする。
【００１５】
【課題を解決するための手段】
上記の目的を達成するために、本発明のプラズマディスプレイパネルは、複数の隔壁を挟み放電空間を形成するように対向配置した２枚の基板と、隔壁間に隔壁とは分離して設けられた複数の補助隔壁とを有し、補助隔壁は、基板と平行な断面での形状において、隔壁に対峙する部分に凹部を設け、凹部の角部は尖って構成されている、もしくは丸みを持って構成されているというものである。
【００１６】
このことにより、隣接する放電空間の間の誤放電を防止でき、且つ放電空間内の排気も効率良く十分に行え、それにより高精細且つ高画像表示特性のパネルの実現が可能となる。
【００１７】
【発明の実施の形態】
（第１の実施の形態）
以下、本発明の第１の実施の形態によるパネルについて説明する。
【００１８】
図１に本発明の第１の実施の形態のパネル概要構成の斜視図を示す。図１において、図８、図９および図１０で示した従来のパネル構成と同様の部分については同一番号を付して説明を省略する。
【００１９】
パネルは、表面板の基板と背面板３の基板３ａとが複数の隔壁４を挟み放電空間５を形成するように対向配置された構成であり、放電空間５内にはヘリウム（Ｈｅ）、ネオン（Ｎｅ）およびアルゴン（Ａｒ）のうち少なくとも一種とキセノン（Ｘｅ）との混合ガスが封入されている。
【００２０】
表面板は、例えばガラス等のような、透明かつ絶縁性の基板の上に、帯状の走査電極６と維持電極７とが放電ギャップだけ離れて互いに対をなすように平行配列されており、その上に誘電体層および保護膜が形成されている。
【００２１】
走査電極６および維持電極７は各々、透明電極の上にライン抵抗を下げるための金属電極を母線電極として形成した構成となっている。
【００２２】
背面板３は、例えばガラス等のような、絶縁性の基板３ａの上に、走査電極６および維持電極７と直交する方向に帯状のデータ電極１０が複数本平行配列されており、この各データ電極１０を１本ずつ隔離し、かつ放電空間５を形成するための帯状の隔壁４がデータ電極１０の間に設けられている。そして補助隔壁１４が隔壁４間に隔壁４とは分離されて設けられている。
【００２３】
図２に補助隔壁１４と隔壁４の、基板３ａと平行な断面での形状を示すように、補助隔壁１４の形状は、基板３ａと平行な断面において、隔壁４に対峙する部分に凹部１５を有するというものである。このことにより補助隔壁１４と隔壁４とで形成される隙間領域１３は凹部１５がない図８に示すような場合に比べ小さくなっている。
【００２４】
そして蛍光体１１は、例えば、基板３ａ上およびデータ電極１０上および隔壁４の側面にわたって形成されている。
【００２５】
パネルが表示する画像は、表面板（図示せず）側から画像表示を見るようになっており、放電空間５内での走査電極６と維持電極７との間の放電により発生する紫外線によって、蛍光体１１を励起し、この蛍光体１１からの可視光を表示発光の１画素として表示発光させる構成となっている。
【００２６】
ここで、隔壁４間に補助隔壁１４が設けられていることから、パネルの高精細化に際し、放電ギャップはそのままとし画素間距離のみを縮小させたとしても隣接放電空間５間で誤放電を大幅に低減することができ、したがって、パネルとして高精細かつ高輝度を同時に実現することができる。また、補助隔壁１４が凹部１５を有していることから、隔壁４と補助隔壁１４とにより形成される隙間領域１３は図１０に示すような従来構成の場合に比べ小さくなっており、このことから排気ベーキング工程において、隙間領域１３が放電空間５内を排気するための排気孔として機能する際、発生する排気抵抗は低減され、その結果、放電空間５内の排気を効率良く十分に行うことができ、したがって、画像表示特性の安定性、信頼性が向上する。
【００２７】
また、補助隔壁１４と隔壁４との間の隙間領域１３を通り抜けて隣接する放電空間５へ流出する荷電粒子が存在し、それが原因で補助隔壁４が存在するにも関わらず隣接画素間で誤放電が発生してしまうという場合があるが、本実施の形態によれば、補助隔壁１４が有する凹部１５により、その部分で荷電粒子をトラップすることができ、その結果、隣接画素間での荷電粒子による誤放電も抑止することが可能となり、したがって、隣接する画素間での誤放電の防止をより確実に行える。
【００２８】
ここで、隙間領域１３による排気孔としての効果を確実に得るためには、補助隔壁１４を隔壁４に対し確実に分離した状態でパネル全面に形成することが要求されるのであるが、図１０に示したような形状の補助隔壁１２の場合、補助隔壁１２と隔壁４とを良好に分離して形成することが難しく、補助隔壁１２と隔壁４とがつながった状態で隙間領域１３を十分に確保できないといったパターン不良となる場合があるが、本実施の形態のような形状の補助隔壁１４の場合、凹部１５の存在により、補助隔壁１４と隔壁４との間の隙間領域１３は図１０に示すような従来構成に比べ小さくなっており、その結果、パターンの抜け性は向上することからパターン不良の発生を大幅に減少させることができる。
【００２９】
なお、図１では蛍光体１１は、補助隔壁１４には全く塗着されていない状態を示したが、本発明の効果が得られるのは特にこのような状態の場合に限られるものではなく、例えば蛍光体１１の形成方法として図３に示すように、蛍光体１１をノズル１５を用いて隔壁４間に塗布するラインジェット法を用い、蛍光体１１を隔壁４側面および基板３ａ上面以外に補助隔壁１４をも覆うように形成してもよく、またそのような形成方法のほうが量産性が良いため低コスト化が可能となる。但し、補助隔壁１２が図１０に示したような形状で隙間領域１３が大きい場合、隙間領域１３が蛍光体１１によって目詰まりしてしまい、隙間領域１３が排気孔として機能しなくなったり、更には、塗布された蛍光体１１が隔壁４の上に乗り上げ、隣の異なる色の画素ラインに蛍光体１１が混入し混色するといった課題が発生してしまうのであるが、補助隔壁１４が本実施の形態のような形状で凹部１５の存在により隙間領域１３が非常に小さい場合であると、上述のような蛍光体１１塗布時にまつわる課題の発生が大幅に低減される。
【００３０】
以上説明したように、本実施の形態によれば、隣接する放電空間の間での誤放電を確実に防止でき、且つ放電空間内の排気も効率良く十分に行うことができるパネルを実現することが可能となる。
【００３１】
なお、本発明の効果を得るための補助隔壁１４の形状としては、図１に示すものに限るものではなく、図４（ａ）〜（ｃ）に示すような形状のものでもよい。ここで、図４は、背面板の基板（図示せず）面と平行な面での補助隔壁１４の断面図である。図４（ａ）、（ｂ）に示す補助隔壁１４は、凹部１５の角部１５ａを尖った形状としたもので、排気抵抗発生の原因となる隙間領域１３を極小とすることが可能となるため、本発明の効果を最大限に高めることが可能となる。また、特に図４（ｂ）に示す補助隔壁１４の形状は、凹部１５の領域を大きく確保することができる形状であり、荷電粒子をトラップする効果を高めることができる。また、図４（ｃ）に示す補助隔壁１４は、背面板の基板（図示せず）面と平行な面での断面形状において、凹部１５の角部１５ａが丸みを持つ形状としたもので、尖っている場合に比べ機械的強度の高い形状であることから、補助隔壁１４の形成時および形成後の補助隔壁１４の「欠け・形状ばらつき」といった問題の発生を少なくすることが可能となる。
【００３２】
また、隔壁４と補助隔壁１４の高さを同じにすることによって、感光性ガラスペーストを用いたリブ形成法では一回の露光、現像で形成することができ、低コスト化が可能となる。
【００３３】
（第２の実施の形態）
以下、本発明の第２の実施の形態におけるパネルについて説明する。
【００３４】
図５に、本発明の第２の実施の形態による補助隔壁１４の、基板３ａと平行な断面を示しており、他の構成は本発明の第１の実施の形態と同様であるため、以下での説明では省略する。
【００３５】
図５に示すように、本実施の形態の補助隔壁１４は、隔壁４とは独立して設けられており、且つ、基板３ａと平行な断面による形状において、隔壁４に対峙する部分に凹部１５を有し、且つ、補助隔壁１４の基板３ａと平行な断面での幅が、隔壁４に近づくにつれて狭くなる形状としたものである。
【００３６】
補助隔壁１４をこのような形状としたことで、第１の実施の形態に比べて隔壁４との対峙区間は短くなっており、このことから、第１の実施の形態と同様の効果を有しつつ、更にパネル内部の排気の際の抵抗を低減することが可能となる。
【００３７】
本実施の形態においても、隔壁４と補助隔壁１４の高さを同じにすることによって、感光性ガラスペーストを用いたリブ形成法では一回の露光、現像で形成することができ、低コスト化が可能となる。
【００３８】
（第３の実施の形態）
以下、本発明の第３の実施の形態におけるパネルについて説明する。
【００３９】
図６に、本発明の第３の実施の形態による補助隔壁１４の、基板３ａと平行な断面を示しており、他の構成は本発明の第１の実施の形態と同様であるため、以下での説明では省略する。
【００４０】
図６に示すように、本実施の形態の補助隔壁１４は、隔壁４とは独立して設けられており、且つ、基板３ａと平行な断面による形状において、隔壁４に対峙する部分に凹部１５を有し、且つ、基板３ａと平行な断面での幅が、隔壁４間の中央部で狭くなる形状であるとしたものである。
【００４１】
補助隔壁１４をこのような形状とすることによって、第１の実施の形態に比べて放電空間５を広く取ることができるため、第１の実施の形態と同様の効果を得ることができるとともに、パネルの輝度をより高めることが可能となる。
【００４２】
また、本実施の形態においても、隔壁４と補助隔壁１４の高さを同じにすることによって、一回の露光、現像で形成することができ、パネルの低コスト化が可能となる。
【００４３】
ここで、図７に示すような、第２の実施の形態と第３の実施の形態とを組み合わせた形状の補助隔壁１４も本発明の態様の一つであることは明らかである。
【００４４】
なお、以上の第１の実施の形態から第３の実施の形態における説明では、補助隔壁１４および隔壁４は基板３ａ上に直接、形成されている構成を示したが、特にこの構成に限るものではなく、例えばデータ電極１０を形成した基板３ａ上に絶縁層が存在し、この絶縁層上に隔壁４および補助隔壁１４が形成されているという構成であっても本発明の効果は同様に得られる。
【００４５】
また、以上の実施の形態では補助隔壁１４と隔壁４の対峙する面の各々に、凹部１５を１ヶ所設けた構造を示したが、もちろん２ヶ所以上の凹部を設ける形状であっても同様の効果を得ることが可能である。
【００４６】
また、以上の説明では、ＡＣ面放電型を例に説明したが、これに限られるものではなく、ＤＣ型、対向放電型など、その他のパネルにおいても同様の効果を得ることができる。
【００４７】
【発明の効果】
以上のように本発明によれば、隣接する放電空間の間での誤放電を防止でき、且つ放電空間内の排気も効率良く十分に行うことができるパネルを実現することが可能となる。
【図面の簡単な説明】
【図１】本発明の第１の実施の形態によるプラズマディスプレイパネルの概要構成を示す斜視図
【図２】本発明の第１の実施の形態によるプラズマディスプレイパネルの補助隔壁を示す図
【図３】ラインジェット法による蛍光体ペースト塗布の概念を示す斜視図
【図４】（ａ）〜（ｃ）は本発明による補助隔壁の他の例を示す図
【図５】本発明の第２の実施の形態によるプラズマディスプレイパネルの補助隔壁を示す図
【図６】本発明の第３の実施の形態によるプラズマディスプレイパネルの補助隔壁を示す図
【図７】本発明による補助隔壁の他の例を示す図
【図８】従来のプラズマディスプレイパネルの構成を示す要部断面図
【図９】図８のＸ−Ｘ線で切断した断面図
【図１０】補助隔壁を有する従来のプラズマディスプレイパネルの構成を示す斜視図
【符号の説明】
１  パネル
２  表面板
２ａ  基板
３  背面板
３ａ  基板
４  隔壁
５  放電空間
１１  蛍光体
１３  隙間領域
１４  補助隔壁
１５  凹部
１５ａ  凹部の角部
【図１】
0003912166.tif 000002
【図２】
0003912166.tif 000003
【図３】
0003912166.tif 000004
【図４】
0003912166.tif 000005
【図５】
0003912166.tif 000006
【図６】
0003912166.tif 000007
【図７】
0003912166.tif 000008
【図８】
0003912166.tif 000009
【図９】
0003912166.tif 000010
【図１０】
0003912166.tif 000011